(57)【要約】【課題】省エネルギーでかつ効果的に室内温度の均一化を図ることができる空調吹出口及びそれを利用した省エネ空調システムを提供する。【解決手段】天井材に穿設した穴に嵌められフランジが天井材に当接するとともに空調機の空調空気の吐出口にダクトを介して接続され室内側が開口した枠体と、天井裏の木軸間に渡されたダクターと一端がダクターに固定され他端が枠体の天板の貫通孔に係止し枠体を天井材に固定する棒と棒に介在する防振ゴムとでなる吊し具と、枠体内に係止されるとともに開口を備えるカバーと、カバー内に収納されファンモータで回転するフィンを備える送風機とからなり、枠体とカバーとの係止手段を、枠体内の二側面に突設された棒と、カバー外周の二側面に連設された爪とからなる係止手段とし、爪を棒に係止して送風機を収納したカバーを枠体に係止し、フィンと枠体及び枠体とカバーとの間にスペースを備えた空調吹出口の構成とした。【選択図】図５
2014031911.tif 000002
【特許請求の範囲】
【請求項１】
天井材に嵌め固定されるとともに空調機の空調空気の吐出口である分岐ダクトにダクトを介して接続され室内側が開口した枠体と、前記枠体内に係止されるとともに開口を備えるカバーと、前記カバー内に収納されファンモータで回転するフィンを備える送風機とからなり、
前記フィンと前記枠体及び前記枠体とカバーとの間にペースを備え、
前記ファンモータを回転させることで、前記空調機から空調空気を、前記スペースから室内の還空気を吸引し、前記空調空気と室内の還空気を前記フィンで混合し、前記カバーの開口を通して室内に混合空気として吹き出し、室内温度を均一化することを特徴とする空調吹出口。
【請求項２】
前記枠体とカバーとの係止手段が、前記枠体内の二側面に突設された棒と、前記カバー外周の二側面に連設された爪とからなり、前記爪を前記棒に係止し、前記送風機を収納したカバーを前記枠体に係止することを特徴とする請求項１に記載の空調吹出口。
【請求項３】
前記送風機の室内側に回転可能なルーバーを備えたことを特徴とする請求項１又は請求項２に記載の空調吹出口。
【請求項４】
前記ファンモータの回転と、前記ルーバーの回転が別々に制御されることを特徴とする請求項１〜請求項３のいずれか１項に記載の空調吹出口。
【請求項５】
前記ファンモータの回転数、ルーバーの回転をリモコンで操作することを特徴とする請求項４に記載の空調吹出口。
【請求項６】
前記フィン及びファンモータが左右に傾くことを特徴とする請求項１〜請求項５のいずれか１項に記載の空調吹出口。
【請求項７】
分岐ダクトを複数備える空調機と、前記分岐ダクトに連結したダクトと、前記ダクトに連結され天井材に嵌め固定された請求項１〜請求項６のいずれか１項に記載の空調吹出口とからなり、前記ファンモータの回転数を制御したことを特徴とする省エネ空調システム。
【請求項８】
請求項１〜請求項６のいずれか１項に記載の空調吹出口が、室内天井に複数設置され、前記空調吹出口のファンモータごとに回転数を制御することで、同一室内においてエリア別に異なる空調制御を行うことを特徴とする請求項７に記載の省エネ空調システム。
【請求項９】
前記空調機が、送風用のファンを備えたビルトインタイプの空調機であることを特徴とする請求項７又は請求項８に記載の省エネ空調システム。
【請求項１０】
請求項８又は請求項９に記載の省エネ空調システムを利用し、同一室内においてエリア別に異なる空調をすることを特徴とするエリア別省エネ空調方法。
【発明の詳細な説明】
【技術分野】
【０００１】
本発明は、天井に埋設され空調機の空調された冷暖房空気を吹き出す空調吹出口、及び空調設備がない室内或いは空調設備を備えた室内で空調効率を向上させるために、室内空気を強制的に、混合及び循環させて、室内温度を均一化するようにした省エネルギーな空調システムに関する。
【背景技術】
【０００２】
従来から、室内の温度を均一化させるために、室内空気を還流させることは知られている。また、業務用空調機から空調空気を取得して、空調設備を備えない部屋に送り、空調するシステムが知られている（特許文献１）。
【０００３】
特許文献１に記載の発明は、室内に空調空気を送る送風ダクトとともに使用される空気攪拌装置であって、空調風車と室内ファンとを有し、前記空調風車は前記送風ダクトから前記室内に送風される前記空調空気により回転可能に設けられ、前記室内ファンは前記空調風車の回転とともに回転し、前記空調風車の下流側で前記空調空気と混合されるよう送風可能に設けられ、設置コストおよび運転コストを低減することができるという空気攪拌装置である。
【０００４】
確かに、送風された空調空気で空調風車が回転することで、運転コストを低く抑えられる。しかしながら、モータでなく空調空気の風の流れで空調風車を回転させるため、空調風車は十分な回転スピードにならない。従って、効果的に室内の空気を循環させることができず、室内温度の均一化の観点では満足するものではなかった。
【先行技術文献】
【特許文献】
【０００５】
【特許文献１】特開２００７−１６３０８９号公報
【発明の概要】
【発明が解決しようとする課題】
【０００６】
そこで、本発明は、省エネルギーでかつ効果的に室内温度の均一化を図ることができる空調吹出口及びそれを利用した省エネ空調システムを提供することを目的とするものである。
【課題を解決するための手段】
【０００７】
本発明は、上記課題を解決するため、
（１）
天井材に嵌め固定されるとともに空調機の空調空気の吐出口である分岐ダクトにダクトを介して接続され室内側が開口した枠体と、前記枠体内に係止されるとともに開口を備えるカバーと、前記カバー内に収納されファンモータで回転するフィンを備える送風機とからなり、
前記フィンと前記枠体及び前記枠体とカバーとの間にペースを備え、
前記ファンモータを回転させることで、前記空調機から空調空気を、前記スペースから室内の還空気を吸引し、前記空調空気と室内の還空気を前記フィンで混合し、前記カバーの開口を通して室内に混合空気として吹き出し、室内温度を均一化することを特徴とする空調吹出口の構成とした。
（２）
前記枠体とカバーとの係止手段が、前記枠体内の二側面に突設された棒と、前記カバー外周の二側面に連設された爪とからなり、
前記爪を前記棒に係止し、前記送風機を収納したカバーを前記枠体に係止することを特徴とする（１）に記載の空調吹出口の構成とした。
（３）
前記送風機の室内側に回転可能なルーバーを備えたことを特徴とする（１）又は（２）に記載の空調吹出口の構成とした。
（４）
前記ファンモータの回転と、前記ルーバーの回転が別々に制御されることを特徴とする（１）〜（３）のいずれかに記載の空調吹出口の構成とした。
（５）
前記ファンモータの回転数、ルーバーの回転をリモコンで操作することを特徴とする（４）に記載の空調吹出口の構成とした。
（６）
前記フィン及びファンモータが左右に傾くことを特徴とする（１）〜（５）のいずれかに記載の空調吹出口の構成とした。
（７）
分岐ダクトを複数備える空調機と、前記分岐ダクトに連結したダクトと、前記ダクトに連結され天井材に嵌め固定された（１）〜（６）のいずれかに記載の空調吹出口とからなり、前記ファンモータの回転数を制御したことを特徴とする省エネ空調システムの構成とした。
（８）
（１）〜（６）のいずれかに記載の空調吹出口が、室内天井に複数設置され、前記空調吹出口のファンモータごとに回転数を制御することで、同一室内においてエリア別に異なる空調制御を行うことを特徴とする（７）に記載の省エネ空調システムの構成とした。
（９）
前記空調機が、送風用のファンを備えたビルトインタイプの空調機であることを特徴とする（７）又は（８）に記載の省エネ空調システムの構成とした。
（１０）
（８）又は（９）に記載の省エネ空調システムを利用し、同一室内においてエリア別に異なる空調をすることを特徴とするエリア別省エネ空調方法の構成とした。
【発明の効果】
【０００８】
本発明は、以上の構成であるため、設備費、工事費が低廉で、工期が短い上、低出力例えば、１０ワット程度のファンモータを使用することができるので省エネルギーで、室内温度の均一化を図ることができ、足元の冷えを解消することができる。特に、空調設備がない室内においても、隣接する空調機の分岐ダクトから空調空気を強制的に取得して室内の空調することができるため、最適である。
【０００９】
冷暖房が多少必要な春、秋（中間期）においては、空調機を稼働させることなく、本発明である空調吹出口のファンモータのみ稼働させるだけで、室内温度の均一化が図られ、快適な室内温度とすることができ、経済的である。
【００１０】
加えて、送風機はカバー内に嵌めて固定しているだけであるので、天井からの送風機の着脱が容易で、送風機の交換、メンテナンスが極めて容易になり、ランニングコストも極めて低廉になる。
【００１１】
さらに、フィン及びファンモータが左右に傾くため、人に空調空気を直接当てないようすることができる。また、複数の空調吹出口を部屋の天井の備え、それらのファンモータの回転を個別に制御することで、室内における寒暖の差に応じたエリア別に最適な空調が可能となる。
【図面の簡単な説明】
【００１２】
【図１】本発明の実施形態の一例である空調吹出口の底面図である。
【図２】本発明である空調吹出口の分解図底面である。
【図３】送風機の底面図である。
【図４】送風機の底面分解図である。
【図５】本発明である空調吹出口の断面模式図である。
【図６】枠体とカバーの係止手段の断面拡大図である。
【図７】本発明である省エネ空調システムを導入した試験室（部屋）の断面模式図である。
【図８】本発明である省エネ空調システムを稼働させたときの室内温度の観測結果である。（Ａ）測定値、（Ｂ）測定値の折れ線グラフである。
【図９】空調吹出口ごとに、ファンモータ回転数（風量）を制御したときの同一室内におけるエリア別空調方法の概念図である。
【発明を実施するための形態】
【００１３】
以下、図面に基づき本発明について詳細に説明する。なお、本発明は実施例に限定されるものではない。
【実施例１】
【００１４】
図１〜図５に示すように、本発明の実施形態の一例である空調吹出口３０は、枠体３１と、カバー３２と、送風機３３と、からなる。
【００１５】
枠体３１は、図１、図２（Ａ）、図５等に示すように、略中央に穴３１ｃが穿設された天板３１ｈ及び天板３１ｈに垂下する四方の側壁３１ｉからなり一方が開口３１ｋした枠本体３１ａと、枠本体３１ａの端部外周に垂直に張り出したフランジ３１ｄと、穴３１ｃに連通した筒状の連結管３１ｂと、対向する二側壁３１ｉに枠本体３１ａ内に向け突設された４本の棒３１ｆとからなる。ここでは、枠本体３１ａは、四角形の箱形であるが、円柱形その他形状であってもよい。
【００１６】
天板３１ｈには、四隅付近に貫通孔３１ｅが穿設され、図５に示すように、貫通孔３１ｅは枠本体３１ａを天井内で固定するための吊し具４３が係止される。また天板３１ｈには、挿通孔３１ｇが穿設され、送風機３３に電気を供給する導線３３ｒを通す。また、天板３１ｈには、穴３１ｃに連通する連結管３１ｂが備えられ、空調機３６の分岐ダクト３６ａに連設し、空調空気３８を通す。
【００１７】
このようにしてなる枠体３１は、枠本体３１ａが天井に開けた穴に嵌められ係止、固定され天井内に埋め込まれる。フランジ３１ｄは天井材４０ｃに当接する。枠本体３１ａを天井に埋設することで、室内の景観を損ねない。
【００１８】
カバー３２は、図１、図２（２）、図５等に示すように、開口３２ｆが穿設され送風機３３を収納するカバー本体３２ａと、枠体３１の二側面の外周に突設された棒３１ｆに係止する爪３２ｂが連設され、爪３２ｂによって枠体３１内に係止される。また、カバー本体３２ａには、後述の送風機３３の駆動指令を受信する受信部３３ｍを露出させる窓３２ｃが設けられている。
【００１９】
枠体３１の棒３１ｆと、カバー３２の爪３２ｂとの係止の状態を図６に示した。図６（Ａ）は、図６（Ｂ）のＢ―Ｂ線断面である。爪３２ｂは、図６（Ａ）に示すように、断面鉤形で、先端に下方に突出した凸部３２ｄを備え、凸部３２ｄの内側には、凸部３２ｄより窪んだ凹部３２ｅを備える。
【００２０】
図６（Ａ）に示すように、爪３２ｂ（点線）を波線矢印のように移動させ、棒３１ｆを凹部３２ｅに位置させる。これにより簡易にカバー３２を枠体３１に係止すること、また外すことができることとなる。
【００２１】
送風機３３は、図１、図３（Ａ）底面、（Ｂ）裏面、図４、図５等に示すように、カバー３２内に収納され、開口３３ｔを備える外枠３３ａと、外枠３３ａに軸３３ｂを介して回動可能に接続する開口３５ｔを備える輪部３３ｃと、輪部３３ｃに支持棒３３ｄを介して接続し、輪部３３ｃの中央に位置するケース３３ｅと、ケース３３ｅに収納固定されフィン３３ｇを備えるファンモータ３３ｆと、ケース３３ｅに固定された第二モータ３３ｉと、第二モータ３３ｉに回転可能にキャップ３３ｋで固定されたルーバー３３ｈとからなる。
【００２２】
外枠３３ａにはファンモータ３３ｆ及びルーバー３３ｈの駆動を制御するリモコン３４からの信号を受信する受信部３３ｍが備えられる。また、外枠３３ａ内には、ファンモータ３３ｆ及びルーバー３３ｈの駆動を制御する回路（図示省略）が備えられる。
【００２３】
ファンモータ３３ｆ及び第二モータ３３ｉの駆動電源は、導線３３ｒから供給される。導線３３ｒは、商用電源に接続するとともに、枠体３１の挿通孔３１ｇを通り、外枠３３ａ内を配線され、軸３３ｂから支持棒３３ｄの裏面を回されケース３３ｅに引き込まれ、ファンモータ３３ｆ及び第二モータ３３ｉに接続する。
【００２４】
輪部３３ｃは、カバー３２の開口３２ｆとほぼ同形である。ルーバー３３ｈは、図４に示すように、輪状の外枠３３ｕに、並行かつ風向に対して斜めになるように羽板３３ｗが配置し中央の円盤３３ｘに穴３３ｎが穿設されている。そして、ルーバー３３ｈは、キャップ３３ｋの裏面にあるネジ３３ｓを穴３３ｎに通し、キャップ３３ｋのネジ３３ｓを第二モータ３３ｉのネジ受け３３ｐに螺着させ、回転可能に固定される。
【００２５】
第二モータ３３ｉの回転駆動を受けて、図４（Ｂ）に示す矢印のように、３６０℃回転する。ルーバー３３ｈが、回転することで、羽板３３ｗによって混合空気３９は、螺旋状に床面に向かって噴射し、一定箇所に送風されることがない。また、ファンモータ３３ｆの回転と別にルーバー３３ｈのみを回転させることができるので、空調空気３８と還空気３９ａをルーバー３３ｈの回転によって撹拌、送風することもできる。
【００２６】
このようにしてなる送風機３３は、フィン３３ｇと枠体３１及び枠体３１とカバー３２との間にスペース３５を備え、空調空気３８及び室内の還空気３９ａを吸引し、混合し、室内に送風する。
【００２７】
送風機３３は、カバー３２に収納されるが、ファンモータ３３ｆ及びフィン３３ｇの回転、振動により発生する振動音の消音のため、またサイズ補正のため、送風機３３とカバー３２の間に弾力性がある緩衝材４１を嵌める。
【００２８】
このようにしてなる空調吹出口３０は、図５（Ａ）に示すように、ファンモータ３３ｆを回転させることで、空調機３６から空調空気３８を、スペース３５から室内の還空気を吸引し、空調空気３８と室内の還空気３９ａをフィン３３ｇで混合し、カバー３２の開口３２ｆを通して室内に混合空気３９として吹き出し、室内温度を均一化することができる。また、図５（Ｂ）に示すように、送風機３３は、軸３３ｂを支点に左右に回動（傾く）できるため、混合空気３９の風向を変更することができ、直接に人に吹き出し風が当たらないように風向を変えることもできる。
【００２９】
図７を参照して、省エネ空調システム４４について説明する。先ず、空調吹出口３０の設置方法、特に既存の建物に新たに増設する場合について説明する。
【００３０】
空調吹出口３０は、天井裏に吊し具４３で係止される。吊し具４３は、天井裏の既存の木軸４２に渡されるダクター４３ａと、枠体３１の貫通孔３１ｅに挿通するとともに端部の頭４３ｃで枠体３１の天板３１ｈに係止され防振ゴム４３ｄを介して他端がダクター４３ａにネジ４３ｅなどで固定される棒３１ｆとからなる。なお、防振ゴム４３ｄは、ファンモータ３３ｆの振動を吸収する機能を有する部材である。
【００３１】
空調吹出口３０の具体的設置手順を説明する。先ず、天井材４０ｃに、枠本体３１ａを通し、フランジ３１ｄが当接する穴を穿設する。図５に示すように、天井裏の木軸４２にダクター４３ａ（Ｌ字鋼）を渡す。
【００３２】
空調機３６の分岐ダクト３６ａに連接し空調空気３８を流すダクト３７を、空調吹出口３０を設置する付近まで引き込む。なお、空調機３６は、天井４０ｂ嵌め込み式の業務用空調であっても、空調吹出口３０を設置する部屋に設置せず、天井４０ｂ裏などに設置するビルトインタイプの空調機であってもよい。ビルトインタイプの空調機は、空調空気を遠くまで送風するため高出力のファンを備えることが一般的である。
【００３３】
枠体３１の貫通孔３１ｅに通し、天板３１ｈに係止した棒４３ｂをダクター４３ａにネジ４３ｅなどで係止することで、枠体３１を天井材４０ｃに係止、固定する。その後、送風機３３を収納したカバー３２の爪３２ｂを枠体３内の棒３１ｆに係止する。最後に、導線３３ｒの電気配線をして完了である。
【００３４】
このようにして空調吹出口３０を設置できるので、極めて施工が簡易である。また送風機３３のメンテナンス、交換も、カバー３２を枠体３１から外せば可能であるので、極めて容易である。
【００３５】
図７の省エネ空調システムの試験室４０について説明する。省エネ空調システム４４は、空調室４０ｆの天井４０ｂに埋設され空調空気３８の吹出口３６ｂを複数備える業務用空調機３６と、業務用空調機３６の分岐ダクト３６ａに連結したダクト３７と、ダクト３７に連結され試験室４０の天井材４０ｃに埋設された空調吹出口３０とからなる。
【００３６】
分岐ダクト３６ａは吹出口３６ｂに連設し、吹出口３６ｂの数だけ備えられるのが一般的で、本試験では分岐ダクト３６ａの１つにダクト３７を接続した。なお、試験の間、ダクト３７を接続した分岐ダクト３６ａに連接する吹出口２６ｂは封止した。
【００３７】
空調室４０ｆは、床２０ｃと、高さ約２５００ｍｍの壁４０ｄと天井４０ｂからなり、天井４０ｂに業務用の空調機３６を備える。業務用の空調機３６から空調室４０ｆに吹き出す空調空気３８は、図７のような空気の流れを形成するも、上方に暖かい空気、下方に冷たい空気が位置する。冷暖房のいずれであっても足もとが冷える。
【００３８】
試験室４０は、空調室４０ｆに壁４０ｄを隔てて隣接し、縦４．１ｍ×横３．６ｍで面積１５ｍ２の床４０ａと、高さ約２５００ｍｍの壁４０ｄと、天井材４０ｃからなり、容積約３７ｍ３であった。
【００３９】
空調吹出口３０のファンモータ３３ｆを稼働させることで、空調空気３８を強制吸引するとともに、試験室４０の空気を吸引し、混合して混合空気３９として吹きだす。その結果、図７に示す循環空気３９ｂの流れを形成する。従って、室内の温度を均一化することができ、冷暖時の足もとの冷えを解消することができるようになる。
【００４０】
分岐ダクト３６ａに連設されている業務用の空調機３６の吹出口３６ｂから吐出される送風量を抑制することで、一層空調空気３８の吸引量が増し、効果的に試験室４０の空調をすることができる。
【００４１】
空調吹出口３０のファンモータ３３ｆ及びルーバー３３ｈは、リモコン３４の操作で、回転のオンオフを個別或いは連動して制御できるとともに、送風機３３の向きも制御できる。業務用の空調機３６を稼働させることなく、空調吹出口３０を単独で運転することでも、室内空気を循環させることができ、多少冷暖房が必要な時期でも快適な室内温度にすることができる。
【００４２】
また、空調吹出口３０は、図７に示すように、空調室４０ｅと別室（試験室４０）でなく、空調室４０ｅの天井４０ｂに設置しても、室内の上部、下部の温度を一定化することに利用できる。
【００４３】
温度（℃）は、３測定点、Ａ（天井面）、Ｂ（中間部）、Ｃ（床面）で測定した。それぞれ床４０ａ（ＦＬ）からの高さは、約２４００ｍｍ（Ａ）、１５００ｍｍ（Ｂ）、２００ｍｍ（Ｃ）とした。なお、参考のため、試験日の所在地の外気温データも示した。
【実施例２】
【００４４】
図８に、図７の試験室における空調試験結果を示した。空調試験の状況、条件は各図（Ａ）に記載した。なお、温度の測定時と空調設定の変更時が同じときは、空調設定の変更の影響はないので、前の空調設定の結果を示すものである。
【００４５】
図８の試験では、初めに冷房（空調機３６）及びファン（空調吹出口３０）を駆動せず（ＯＦＦ）、試験室４０の温度の変化を観測した。その後、空調機３６を運転し（ＯＮ）、さらに空調吹出口３０のファンモータ３３ｆを回転（ＯＮ）させ、空調機３６の冷房（空調空気３８）と試験室４０の空気（還空気３９ａ）をミキシングした。
【００４６】
・図８の試験の結果
図８（Ｂ）に示すように、Ｅ１の試験区においては、天井面、中間部、床面で上下両矢印の範囲の温度差（５．６℃）で上昇した。なお、室内が外気温より高い温度になっているのは、日光照射、内部電気器機の発熱のためである。
【００４７】
Ｅ２の試験区では、空調機３６の冷房を吹き込んだことにより室内温度は全体的に下降し、温度差もやや縮まったが、依然各温度点での温度差（１４：００、３．９℃）が認められる。
【００４８】
Ｅ３の試験区では、空調機３６を稼働させたまま空調吹出口３０のファンモータ３３ｆも回転駆動して室内空気をミキシングした。その結果、各測定点での温度差が極めて小さくなった（１６：００、０．５℃）。
【００４９】
以上の結果から、空調吹出口３０による冷房（空調空気３８）と室内空気のミキシングによって、冷房（空調空気３８）の送風だけでは得られない、均一な室内空調が可能であることが明らかになった。
【実施例３】
【００５０】
図９に、エリア別省エネ空調システム５０の概要を示した。既存の部屋５１は、奥の壁５１ｄに窓５１ｅがあり、床５１ａ及び壁５１ｄは図９左手前部分が幅広に屈曲している形状（屈曲スペース５１ｆ）になっている。
【００５１】
屈曲スペース５１ｆの天井５１ｂには、空調吹出口３０を設置できないものとする。屈曲スペース５１ｆの天井以外の天井部分に、空調吹出口３０を４つ設置した。空調吹出口３０は、ダクト３７を介して、ビルトインタイプの空調機３６の分岐ダクト３６ａに接続し、空調機３６の空調空気３８をフィン３３ｇの回転により吸引する。なお、ビルトインタイプの空調機３６のファンによっても空調吹出口３０に送風される。
【００５２】
このような部屋５１である場合、体感温度は、窓側が高く、窓５１ｅから遠い場所、屈曲スペース５１ｆ部分では低い。従来の一台の空調機では、場所により体感温度が異なるにもかかわらず、設置場所、それに伴う風向の制限、さらに一定温度制御をしているため、同一室内での快適な空調を得ることはできなかった。
【００５３】
しかしながら、本発明であるエリア別省エネ空調システム５０であれば、複数設置した空調吹出口３０を個別に運転制御することができるので、外気が高温のときの窓５１ｅ際では、空調吹出口３０のファンモータ３３ｆの回転数を高く設定し、空調機３６の冷房空気を含む混合空気３９ｃの吐出量を高め、屈曲スペース５１ｆでは、ファンモータ３３ｆの回転数を低く設定し、混合空気３９ｄの吐出量を少量にすることができる。下向きグレー矢印の太さは風量の違いを意味している。
【００５４】
また、送風機３３は、軸３３ｂを支点に、左右に回動、スイングできるため、送風方向を変更でき、空調吹出口３０の設置が制限されているエリアにも、混合空気３９ｄを送風することができる。
【００５５】
その結果、同一室内において、一台の空調機３６であっても、エリア毎に空調強度を調節することができ、快適な空調環境を実現できるとともに、循環空気３９ｂの流れも形成することができ、極めて省エネな空調を可能にする。
【符号の説明】
【００５６】
３０    空調吹出口
３１    枠体
３１ａ  枠本体
３１ｂ  連結管
３１ｃ  穴
３１ｄ  フランジ
３１ｅ  貫通孔
３１ｆ  棒
３１ｇ  挿通孔
３１ｈ  天板
３１ｉ  側壁
３１ｋ  開口
３２    カバー
３２ａ  カバー本体
３２ｂ  爪
３２ｃ  窓
３２ｄ  凸部
３２ｅ  凹部
３２ｆ  開口
３３    送風機
３３ａ  外枠
３３ｂ  軸
３３ｃ  輪部
３３ｄ  支持棒
３３ｅ  ケース
３３ｆ  ファンモータ
３３ｇ  フィン
３３ｈ  ルーバー
３３ｉ  第二モータ
３３ｋ  キャップ
３３ｍ  受信部
３３ｎ  穴
３３ｐ  ネジ受け
３３ｒ  導線
３３ｓ  ネジ
３３ｔ  開口
３３ｕ  外枠
３３ｗ  羽板
３３ｘ  円盤
３４    リモコン
３５    スペース
３６    空調機
３６ａ  分岐ダクト
３６ｂ  吹出口
３７    ダクト
３８    空調空気
３９    混合空気
３９ａ  還空気
３９ｂ  循環空気
３９ｃ  混合空気
３９ｄ  混合空気
４０    試験室
４０ａ  床
４０ｂ  天井
４０ｃ  天井材
４０ｄ  壁
４０ｆ  空調室
４１    緩衝材
４２    木軸
４３    吊し具
４３ａ  ダクター
４３ｂ  棒
４３ｃ  頭
４３ｄ  防振ゴム
４３ｅ  ネジ
４４    省エネ空調システム
５０    エリア別省エネ空調システム
５１    部屋    
５１ａ  床
５１ｂ  天井
５１ｄ  壁
５１ｅ  窓
５１ｆ  屈曲スペース
【図１】
2014031911.tif 000003
【図２】
2014031911.tif 000004
【図３】
2014031911.tif 000005
【図４】
2014031911.tif 000006
【図５】
2014031911.tif 000007
【図６】
2014031911.tif 000008
【図７】
2014031911.tif 000009
【図８】
2014031911.tif 000010
【図９】
2014031911.tif 000011
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
天井材に穿設した穴に嵌められフランジ（３１ｄ）が前記天井材に当接するとともに空調機の空調空気の吐出口である分岐ダクトにダクトを介して接続され室内側が開口した枠体と、天井裏の木軸間に渡されたダクター（４３ａ）と一端が前記ダクター（４３ａ）に固定され他端が前記枠体の天板（３１ｈ）に穿設した貫通孔（３１ｅ）に係止し前記枠体を前記天井材に固定する棒（４３ｂ）と前記棒（４３ｂ）に介在する防振ゴム（４３ｄ）とでなる吊し具（４３）と、前記枠体内に係止されるとともに開口を備えるカバーと、前記カバー内に収納されファンモータで回転するフィンを備える送風機とからなり、
前記枠体とカバーとの係止手段を、前記枠体内の二側面に突設された棒（３１ｆ）と、前記カバー外周の二側面に連設された爪とからなる係止手段とし、前記爪を前記棒（３１ｆ）に係止することで前記送風機を収納したカバーを前記枠体に係止し、
前記フィンと前記枠体及び前記枠体とカバーとの間にスペースを備え、
前記ファンモータを回転させることで、前記空調機から空調空気を、前記スペースから室内の還空気を吸引し、前記空調空気と室内の還空気を前記フィンで混合し、前記カバーの開口を通して室内に混合空気として吹き出し、室内温度を均一化することを特徴とする空調吹出口。
【請求項２】
前記カバーと送風機の間に消音及びサイズ補正のための弾力性がある緩衝材を嵌めたことを特徴とする請求項１に記載の空調吹出口。
【請求項３】
前記送風機の室内側に回転可能なルーバーを備えたことを特徴とする請求項１又は請求項２に記載の空調吹出口。
【請求項４】
前記ファンモータの回転と、前記ルーバーの回転が別々に制御されることを特徴とする請求項３に記載の空調吹出口。
【請求項５】
前記ファンモータの回転数、ルーバーの回転をリモコンで操作することを特徴とする請求項４に記載の空調吹出口。
【請求項６】
前記フィン及びファンモータが左右に傾くことを特徴とする請求項１〜請求項５のいずれか１項に記載の空調吹出口。
【請求項７】
分岐ダクトを複数備える空調機と、前記分岐ダクトに連結したダクトと、前記ダクトに連結され天井材に嵌め固定された請求項１〜請求項６のいずれか１項に記載の空調吹出口とからなり、前記ファンモータの回転数を制御したことを特徴とする省エネ空調システム。
【請求項８】
請求項１〜請求項６のいずれか１項に記載の空調吹出口が、室内天井に複数設置され、前記空調吹出口のファンモータごとに回転数を制御することで、同一室内においてエリア別に異なる空調制御を行うことを特徴とする請求項７に記載の省エネ空調システム。
【請求項９】
前記空調機が、送風用のファンを備えたビルトインタイプの空調機であることを特徴とする請求項７又は請求項８に記載の省エネ空調システム。
【請求項１０】
請求項８又は請求項９に記載の省エネ空調システムを利用し、同一室内においてエリア別に異なる空調をすることを特徴とするエリア別省エネ空調方法。
【手続補正２】
【補正対象書類名】明細書
【補正対象項目名】０００７
【補正方法】変更
【補正の内容】
【０００７】
本発明は、上記課題を解決するため、
（１）
天井材に穿設した穴に嵌められフランジ（３１ｄ）が前記天井材に当接するとともに空調機の空調空気の吐出口である分岐ダクトにダクトを介して接続され室内側が開口した枠体と、天井裏の木軸間に渡されたダクター（４３ａ）と一端が前記ダクター（４３ａ）に固定され他端が前記枠体の天板（３１ｈ）に穿設した貫通孔（３１ｅ）に係止し前記枠体を前記天井材に固定する棒（４３ｂ）と前記棒（４３ｂ）に介在する防振ゴム（４３ｄ）とでなる吊し具（４３）と、前記枠体内に係止されるとともに開口を備えるカバーと、前記カバー内に収納されファンモータで回転するフィンを備える送風機とからなり、
前記枠体とカバーとの係止手段を、前記枠体内の二側面に突設された棒（３１ｆ）と、前記カバー外周の二側面に連設された爪とからなる係止手段とし、前記爪を前記棒（３１ｆ）に係止することで前記送風機を収納したカバーを前記枠体に係止し、
前記フィンと前記枠体及び前記枠体とカバーとの間にスペースを備え、
前記ファンモータを回転させることで、前記空調機から空調空気を、前記スペースから室内の還空気を吸引し、前記空調空気と室内の還空気を前記フィンで混合し、前記カバーの開口を通して室内に混合空気として吹き出し、室内温度を均一化することを特徴とする空調吹出口の構成とした。
（２）
前記カバーと送風機の間に消音及びサイズ補正のための弾力性がある緩衝材を嵌めたことを特徴とする（１）に記載の空調吹出口の構成とした。
（３）
前記送風機の室内側に回転可能なルーバーを備えたことを特徴とする（１）又は（２）に記載の空調吹出口の構成とした。
（４）
前記ファンモータの回転と、前記ルーバーの回転が別々に制御されることを特徴とする（３）に記載の空調吹出口の構成とした。
（５）
前記ファンモータの回転数、ルーバーの回転をリモコンで操作することを特徴とする（４）に記載の空調吹出口の構成とした。
（６）
前記フィン及びファンモータが左右に傾くことを特徴とする（１）〜（５）のいずれかに記載の空調吹出口の構成とした。
（７）
分岐ダクトを複数備える空調機と、前記分岐ダクトに連結したダクトと、前記ダクトに連結され天井材に嵌め固定された（１）〜（６）のいずれかに記載の空調吹出口とからなり、前記ファンモータの回転数を制御したことを特徴とする省エネ空調システムの構成とした。
（８）
（１）〜（６）のいずれかに記載の空調吹出口が、室内天井に複数設置され、前記空調吹出口のファンモータごとに回転数を制御することで、同一室内においてエリア別に異なる空調制御を行うことを特徴とする請求項７に記載の省エネ空調システムの構成とした。
（９）
前記空調機が、送風用のファンを備えたビルトインタイプの空調機であることを特徴とする（７）又は（８）に記載の省エネ空調システムの構成とした。
（１０）
（８）又は（９）に記載の省エネ空調システムを利用し、同一室内においてエリア別に異なる空調をすることを特徴とするエリア別省エネ空調方法の構成とした。
【手続補正３】
【補正対象書類名】明細書
【補正対象項目名】００３０
【補正方法】変更
【補正の内容】
【００３０】
空調吹出口３０は、天井裏に吊し具４３で係止される。吊し具４３は、天井裏の既存の木軸４２に渡されるダクター４３ａと、枠体３１の貫通孔３１ｅに挿通するとともに端部の頭４３ｃで枠体３１の天板３１ｈに係止され防振ゴム４３ｄを介して他端がダクター４３ａにネジ４３ｅなどで固定される棒４３ｂとからなる。なお、防振ゴム４３ｄは、ファンモータ３３ｆの振動を吸収する機能を有する部材である。
【手続補正５】
【補正対象書類名】図面
【補正対象項目名】図５
【補正方法】変更
【補正の内容】
【図５】
2014031911.tif 000012